(57)【特許請求の範囲】
【請求項１】
先端付近に電極および温度センサを有するアブレーションカテーテルと、
前記アブレーションカテーテルに対してアブレーションの際の電力供給を行う電源装置と、
前記電極を用いて測定される検査波形信号を表示する波形表示装置と、
前記温度センサから出力される温度測定信号を中継して前記電源装置へ供給すると共に、前記電極から出力される前記検査波形信号を中継して前記波形表示装置へ供給する中継器と、
前記温度測定信号の出力経路上に設けられると共に、その出力経路を遮断可能に構成された経路遮断スイッチと
を備えたカテーテルシステム。
【請求項２】
前記経路遮断スイッチが、前記中継器に設けられている
請求項１に記載のカテーテルシステム。
【請求項３】
前記中継器は、前記温度測定信号を増幅するアンプを有し、
前記アンプよりも前記アブレーションカテーテル側の前記出力経路上に、前記経路遮断スイッチが配置されている
請求項２に記載のカテーテルシステム。
【請求項４】
前記経路遮断スイッチのオン状態またはオフ状態が、操作者の操作に応じて設定可能に構成されている
請求項１ないし請求項３のいずれか１項に記載のカテーテルシステム。
【請求項５】
前記電源装置は、自身の動作状態に連動して前記経路遮断スイッチを自動的にオン状態またはオフ状態に設定するための制御信号を出力する
請求項１ないし請求項３のいずれか１項に記載のカテーテルシステム。
【請求項６】
前記電源装置は、
前記電力供給を実行しているときには、前記経路遮断スイッチがオン状態に設定されるように前記制御信号を出力すると共に、
前記電力供給を停止しているときには、前記経路遮断スイッチがオフ状態に設定されるように前記制御信号を出力する
請求項５に記載のカテーテルシステム。
【請求項７】
先端付近に電極および温度センサを有するアブレーションカテーテルと、
前記アブレーションカテーテルに対してアブレーションの際の電力供給を行う電源装置と、
前記電極を用いて測定される検査波形信号を表示する波形表示装置と、
前記温度センサから出力される温度測定信号を中継して前記電源装置へ供給すると共に、前記電極から出力される前記検査波形信号を中継して前記波形表示装置へ供給する中継器と
を備え、
前記中継器は、
前記温度測定信号を増幅するアンプと、
前記アンプの電源を遮断する電源遮断機構と
を有するカテーテルシステム。
【請求項８】
前記電源遮断機構は、操作者の操作に従って入力される操作信号に基づいて、前記アンプの電源を遮断する
請求項７に記載のカテーテルシステム。
【請求項９】
前記電源装置は、自身の動作状態に連動して前記電源遮断機構の動作を自動的に制御するための制御信号を出力する
請求項７に記載のカテーテルシステム。
【請求項１０】
前記電源装置は、
前記電力供給を実行しているときには、前記アンプの電源が保持されるように前記制御信号を出力すると共に、
前記電力供給を停止しているときには、前記アンプの電源が遮断されるように前記制御信号を出力する
請求項９に記載のカテーテルシステム。
【発明の詳細な説明】
【技術分野】
【０００１】
本発明は、例えば不整脈等の検査や治療に用いられるアブレーションカテーテル、電源装置および波形表示装置を備えたカテーテルシステムに関する。
【背景技術】
【０００２】
電極カテーテルは、血管を通して体内（例えば心臓の内部）に挿入され、不整脈の検査や治療等に用いられるものである。このような電極カテーテルでは一般に、体内に挿入されたカテーテルチューブの先端（遠位端）付近の形状が、体外に配置される基端（近位端，後端，手元側）に装着された操作部の操作に応じて、片方向あるいは両方向に変化（偏向，湾曲、撓む）するようになっている。また、このように先端付近の形状が操作に応じて任意に変化するタイプの他にも、先端付近の形状が固定になっているタイプのものも存在する。
【０００３】
このような電極カテーテルのうち、主に治療用のもの（いわゆるアブレーションカテーテル）では、アブレーション（焼灼）の際の電力が、電源装置（高周波発生装置）から供給される。アブレーションカテーテルおよび電源装置を備えたカテーテルシステムは、例えば特許文献１に開示されている。
【先行技術文献】
【特許文献】
【０００４】
【特許文献１】特開平５−４２１２１号公報
【発明の概要】
【発明が解決しようとする課題】
【０００５】
このようなカテーテルシステムでは、アブレーションカテーテルの電極を用いて検査波形（心電図波形等）が測定され、波形表示装置（いわゆるポリグラフ）に表示される。また、アブレーションカテーテルの先端付近に設けられた温度測定機構（例えば、熱電対等からなる温度センサ）により温度測定信号が得られ、電源装置内の制御部による温度制御に利用される。このような検査波形信号や温度測定信号等は、アブレーションカテーテルから中継器を経由して、波形表示装置または電源装置へ供給されるようになっている。
【０００６】
ところで、これらの検査波形信号や温度測定信号には、中継器内において、回路からのノイズ信号が重畳されてしまう場合がある。特に検査波形信号にノイズ信号が重畳されると、波形表示装置において、良好な検査波形を得る（表示する）のが困難となるおそれがある。したがって、そのようなノイズ信号が重畳するおそれを低減もしくは回避し、良好な検査波形を得ることを可能とする手法の提案が望まれる。
【０００７】
本発明はかかる問題点に鑑みてなされたもので、その目的は、良好な検査波形を得ることが可能なカテーテルシステムを提供することにある。
【課題を解決するための手段】
【０００８】
本発明の第１のカテーテルシステムは、先端付近に電極および温度センサを有するアブレーションカテーテルと、このアブレーションカテーテルに対してアブレーションの際の電力供給を行う電源装置と、電極を用いて測定される検査波形信号を表示する波形表示装置と、温度センサから出力される温度測定信号を中継して電源装置へ供給すると共に、電極から出力される検査波形信号を中継して波形表示装置へ供給する中継器と、温度測定信号の出力経路上に設けられると共にその出力経路を遮断可能に構成された経路遮断スイッチとを備えたものである。
【０００９】
本発明の第１のカテーテルシステムでは、アブレーションカテーテルにおける温度センサから出力される温度測定信号の出力経路上に、その出力経路を遮断可能な経路遮断スイッチが設けられている。これにより、温度測定信号の出力経路に接続された回路（例えばアンプ等）からのノイズ信号が、この温度測定信号の出力経路上で遮断可能となる。すなわち、ノイズ信号の発生源が切り離される。その結果、例えば中継器内において、この温度測定信号の出力経路を介してノイズ信号が検査波形信号へ重畳されるおそれが、低減もしくは回避される。
【００１０】
本発明の第１のカテーテルシステムでは、上記経路遮断スイッチを中継器に設けるのが好ましい。このように構成した場合、温度測定信号の出力経路が中継器内で遮断できるため、ノイズ信号が検査波形信号に対してより重畳されにくくなる。また、この場合において、中継器に温度測定信号を増幅するアンプを設けると共に、このアンプよりもアブレーションカテーテル側の出力経路上に経路遮断スイッチを配置するのが更に好ましい。このように構成した場合、中継器内において、相対的に手前側（アブレーションカテーテル側）で出力経路が遮断できることになる。したがって、この出力経路におけるアンテナ作用が小さくなり、ノイズ信号の発生が抑えられる。
【００１１】
本発明の第１のカテーテルシステムでは、上記経路遮断スイッチのオン状態またはオフ状態を、操作者の操作に応じて設定可能とするのが好ましい。このように構成した場合、例えば、アブレーションカテーテルを用いた検査や治療の状況等に応じて、操作者の希望するタイミングにて、出力経路の遮断を実行できるようになる。よって、そのような検査や治療の際の利便性が向上する。
【００１２】
本発明の第１のカテーテルシステムでは、上記電源装置が、自身の動作状態に連動して経路遮断スイッチを自動的にオン状態またはオフ状態に設定するための制御信号を出力するようにしてもよい。このように構成した場合、電源装置の動作状態に連動して自動的に経路遮断スイッチのオン・オフ状態が制御されるため、操作者がその都度操作する必要がなくなり、利便性が向上する。また、この場合において、上記電源装置が、電力供給を実行しているときには経路遮断スイッチがオン状態に設定されるように制御信号を出力すると共に、電力供給を停止しているときには経路遮断スイッチがオフ状態に設定されるように制御信号を出力するのが好ましい。このように構成した場合、温度センサによる温度測定が必要とされる電力供給実行時（アブレーションの際）には、経路遮断スイッチがオン状態に設定され、温度測定が担保される（温度測定信号が電源装置へ出力される）。一方で、そのような温度測定が必ずしも必要とはされない電力供給停止時（例えば検査の際）には、経路遮断スイッチがオフ状態に設定されて温度測定が停止されつつ、ノイズ信号の重畳が低減もしくは回避された良好な検査波形を利用した高精度な検査が実施可能となる。
【００１３】
本発明の第２のカテーテルシステムは、先端付近に電極および温度センサを有するアブレーションカテーテルと、このアブレーションカテーテルに対してアブレーションの際の電力供給を行う電源装置と、電極を用いて測定される検査波形信号を表示する波形表示装置と、温度センサから出力される温度測定信号を中継して電源装置へ供給すると共に、電極から出力される検査波形信号を中継して波形表示装置へ供給する中継器とを備えたものである。この中継器は、温度測定信号を増幅するアンプと、このアンプの電源を遮断する電源遮断機構とを有している。
【００１４】
本発明の第２のカテーテルシステムでは、アブレーションカテーテルにおける温度センサから出力される温度測定信号を増幅するアンプの電源が、電源遮断機構により遮断可能となっている。これにより、このアンプからのノイズ信号の発生が防止可能となる。その結果、例えば中継器内において、この温度測定信号の出力経路を介してノイズ信号が検査波形信号へ重畳されるおそれが、低減もしくは回避される。
【００１５】
本発明の第２のカテーテルシステムでは、上記電源遮断機構が、操作者の操作に従って入力される操作信号に基づいてアンプの電源を遮断するのが好ましい。このように構成した場合、例えば、アブレーションカテーテルを用いた検査や治療の状況等に応じて、操作者の希望するタイミングにて、アンプの電源遮断を実行できるようになる。よって、そのような検査や治療の際の利便性が向上する。
【００１６】
本発明の第２のカテーテルシステムでは、上記電源装置が、自身の動作状態に連動して電源遮断機構の動作を自動的に制御するための制御信号を出力するようにしてもよい。このように構成した場合、電源装置の動作状態に連動して自動的にアンプの電源遮断動作が制御されるため、操作者がその都度操作する必要がなくなり、利便性が向上する。また、この場合において、上記電源装置が、電力供給を実行しているときにはアンプの電源が保持されるように制御信号を出力すると共に、電力供給を停止しているときにはアンプの電源が遮断されるように制御信号を出力するのが好ましい。このように構成した場合、温度センサによる温度測定が必要とされる電力供給実行時には、アンプの電源が保持（維持）されて温度測定が担保される。一方で、そのような温度測定が必ずしも必要とはされない電力供給停止時には、アンプの電源が遮断されて温度測定が停止されつつ、ノイズ信号の重畳が低減もしくは回避された良好な検査波形を利用した高精度な検査が実施可能となる。
【発明の効果】
【００１７】
本発明の第１のカテーテルシステムによれば、アブレーションカテーテルにおける温度センサから出力される温度測定信号の出力経路上に、その出力経路を遮断可能な経路遮断スイッチを設けるようにしたので、ノイズ信号が検査波形信号へ重畳されるおそれを、低減もしくは回避することができる。よって、良好な検査波形を得ることが可能となる。
【００１８】
本発明の第２のカテーテルシステムによれば、アブレーションカテーテルにおける温度センサから出力される温度測定信号を増幅するアンプの電源を、電源遮断機構によって遮断できるようにしたので、ノイズ信号が検査波形信号へ重畳されるおそれを、低減もしくは回避することができる。よって、良好な検査波形を得ることが可能となる。
【図面の簡単な説明】
【００１９】
【図１】本発明の第１の実施の形態に係るカテーテルシステムの全体構成例を模式的に表すブロック図である。
【図２】図１に示したアブレーションカテーテルの詳細構成例を表す模式図である。
【図３】図１に示した中継器の外観構成例を模式的に表す斜視図である。
【図４】図１に示した中継器の詳細構成例を表す模式図である。
【図５】比較例１に係るカテーテルシステムの全体構成を模式的に表すブロック図である。
【図６】比較例１に係る検査波形信号の一例を表すタイミング波形図である。
【図７】比較例２に係る検査波形信号の一例を表すタイミング波形図である。
【図８Ａ】図４に示した経路遮断スイッチの作用について説明するための模式図である。
【図８Ｂ】図４に示した経路遮断スイッチの作用について説明するための他の模式図である。
【図９】第１の実施の形態に係る検査波形信号の一例を表すタイミング波形図である。
【図１０】第２の実施の形態に係るカテーテルシステムの全体構成例を模式的に表すブロック図である。
【図１１】図１０に示した中継器の詳細構成例を表す模式図である。
【図１２】図１０に示したカテーテルシステムの動作例を表す流れ図である。
【図１３Ａ】図１１に示した経路遮断スイッチの作用について説明するための模式図である。
【図１３Ｂ】図１１に示した経路遮断スイッチの作用について説明するための他の模式図である。
【図１４】第３の実施の形態に係るカテーテルシステムの全体構成例を模式的に表すブロック図である。
【図１５】図１４に示した電源遮断機構の作用について説明するためのブロック図である。
【図１６】第４の実施の形態に係るカテーテルシステムの全体構成例を模式的に表すブロック図である。
【図１７】図１６に示したカテーテルシステムの動作例を表す流れ図である。
【図１８】図１６に示した電源遮断機構の作用について説明するためのブロック図である。
【発明を実施するための形態】
【００２０】
以下、本発明の実施の形態について、図面を参照して詳細に説明する。なお、説明は以下の順序で行う。
１．第１の実施の形態（操作者の操作に応じて経路遮断スイッチの状態が設定される例）
２．第２の実施の形態（電源装置の動作に連動して経路遮断スイッチを自動制御する例）
３．第３の実施の形態（操作者の操作に応じてアンプの電源を遮断する例）
４．第４の実施の形態（電源装置の動作に連動してアンプの電源遮断を自動制御する例）
５．変形例
【００２１】
＜第１の実施の形態＞
［構成］
図１は、本発明の第１の実施の形態に係るカテーテルシステム（カテーテルシステム６）の全体構成例を模式的にブロック図で表したものである。このカテーテルシステム６は、患者（この例では患者９）における不整脈等の検査や治療の際に用いられるシステムであり、アブレーションカテーテル１、心電図表示装置２（波形表示装置）、電源装置３、対極板４および中継器５を備えている。
【００２２】
（アブレーションカテーテル１）
アブレーションカテーテル１は、血管を通して患者９の体内に挿入され、患部をアブレーションすることで不整脈等の検査や治療を行うための電極カテーテルである。
【００２３】
図２は、アブレーションカテーテル１の概略構成例を模式的に表したものである。このアブレーションカテーテル１は、カテーテル本体としてのシャフト１１（カテーテルシャフト）と、このシャフト１１の基端に装着された操作部１２とを有している。
【００２４】
シャフト１１は、可撓性を有する管状構造（管状部材）からなり、自身の軸方向（Ｚ軸方向）に沿って延伸する形状となっている。また、シャフト１１は、自身の軸方向に沿って延在するように内部に１つのルーメン（細孔，貫通孔）が形成されたいわゆるシングルルーメン構造、あるいは複数（例えば４つ）のルーメンが形成されたいわゆるマルチルーメン構造を有している。なお、シャフト１１の内部において、シングルルーメン構造からなる領域とマルチルーメン構造からなる領域との双方が設けられていてもよい。このようなルーメンには、図示しない各種の細線（導線や操作用ワイヤ等）がそれぞれ、互いに電気的に絶縁された状態で挿通されている。
【００２５】
シャフト１１の先端Ｐ１付近には、その先端Ｐ１付近（患部周辺）の温度を測定するための機構（温度測定機構）が設けられている。具体的には、シャフト１１の内部のルーメンに、そのような温度測定機構として機能する温度センサが配置されている（例えば、そのような温度センサの一具体例として、後述する熱電対１１３がルーメンに挿通されている）。なお、このようにして測定された先端Ｐ１付近の温度情報は、温度測定信号Ｓｔとして、図１に示したように、アブレーションカテーテル１から中継器５を経由して電源装置３へと供給されるようになっている。
【００２６】
このようなシャフト１１は、例えば、ポリオレフィン、ポリアミド、ポリエーテルポリアミド、ポリウレタン等の合成樹脂により構成されている。また、シャフト１１の軸方向の長さは、約５００〜１２００ｍｍ程度（例えば１１７０ｍｍ）であり、シャフト１１の外径（Ｘ−Ｙ断面の外径）は、約０．６〜３ｍｍ程度（例えば２．０ｍｍ）である。
【００２７】
シャフト１１の先端Ｐ１付近には、図２中の先端Ｐ１付近の拡大図に示したように、複数の電極が設けられている。具体的には、先端Ｐ１付近において、リング状電極１１１ａ，１１１ｂ，１１１ｃおよび先端電極１１２が、シャフト１１の最先端側に向かってこの順で所定の間隔をおいて配置されている。また、リング状電極１１１ａ，１１１ｂ，１１１ｃはそれぞれ、シャフト１１の外周面上に固定配置される一方、先端電極１１２は、シャフト１１の最先端に固定配置されている。これらの電極は、前述したシャフト１１のルーメン内に挿通された複数の導線（図示せず）を介して、操作部１２と電気的に接続されている。なお、これらの導線が、後述する検査波形信号Ｓｗの信号線を構成している。
【００２８】
このようなリング状電極１１１ａ，１１１ｂ，１１１ｃおよび先端電極１１２はそれぞれ、例えば、アルミニウム（Ａｌ）、銅（Ｃｕ）、ステンレス鋼（ＳＵＳ）、金（Ａｕ）、白金（Ｐｔ）等の、電気伝導性の良好な金属材料により構成されている。なお、アブレーションカテーテル１の使用時におけるＸ線に対する造影性を良好にするためには、白金またはその合金により構成されていることが好ましい。また、これらのリング状電極１１１ａ，１１１ｂ，１１１ｃおよび先端電極１１２の外径は、特には限定されないが、上記したシャフト１１の外径と同程度であることが望ましい。
【００２９】
操作部１２は、シャフト１１の基端に装着されており、ハンドル１２１（把持部）および回転板１２２を有している。
【００３０】
ハンドル１２１は、アブレーションカテーテル１の使用時に操作者（医師）が掴む（握る）部分である。このハンドル１２１の内部には、シャフト１１の内部から前述した各種の細線がそれぞれ延伸している。
【００３１】
回転板１２２は、シャフト１１の先端付近を偏向させる際の操作である、偏向移動操作（首振り操作）を行うための部材である。具体的には、ここでは図２中の矢印で示したように、回転方向ｄ１に沿って回転板１２２を回転させる操作が可能となっている。
【００３２】
（心電図表示装置２）
心電図表示装置２は、前述したアブレーションカテーテル１の先端Ｐ１付近の電極（リング状電極１１１ａ，１１１ｂ，１１１ｃおよび先端電極１１２）を用いて測定された検査波形信号Ｓｗ（この例では、心電図波形等）を表示する装置である。つまり、このような検査波形信号Ｓｗを表示して外部へと出力するモニターであり、いわゆるポリグラフと呼ばれるものである。なお、この検査波形信号Ｓｗは、図１に示したように、アブレーションカテーテル１から中継器５を経由して心電図表示装置２へ供給されるようになっている。
【００３３】
（電源装置３）
電源装置３は、アブレーションカテーテル１および対極板４に対して、アブレーションの際の電力（例えば高周波（ＲＦ；Radio Frequency）からなる出力電力Ｐout）を供給する装置（高周波発生装置）である。なお、出力電力Ｐoutは、図１に示したように、電源装置３から中継器５を経由して、アブレーションカテーテル１および対極板４へそれぞれ供給されるようになっている。この電源装置３は、図１に示したように、入力部３１、電源部３２、電圧測定部３３、電流測定部３４、制御部３５および表示部３６を有している。
【００３４】
入力部３１は、各種の設定値や、所定の動作を指示するための指示信号を入力する部分である。各種の設定値としては、例えば、設定電力Ｐｓ（＝出力電力Ｐoutにおける最大電力）、閾値電力、目標温度Ｔｔ、各種の待機時間等が挙げられる。これらの設定値は、電源装置３の操作者（例えば技師等）によって入力されるようになっている。ただし、例えば閾値電力については、操作者によって入力されるのではなく、製品の出荷時等に予め電源装置３内で設定されているようにしてもよい。また、入力部３１により入力された設定値や指示信号はそれぞれ、制御部３５へ供給されるようになっている。このような入力部３１は、例えば所定のダイヤルやボタン、タッチパネル等を用いて構成されている。
【００３５】
電源部３２は、後述する制御信号ＣＴＬｐに従って、上記した出力電力Ｐoutをアブレーションカテーテル１および対極板４に対して供給する部分である。このような電源部３２は、所定の電源回路（例えばスイッチングレギュレータ等）を用いて構成されている。なお、出力電力Ｐoutが高周波電力からなる場合、その周波数は、例えば４５０ｋＨｚ〜５５０ｋＨｚ程度（例えば５００ｋＨｚ）である。
【００３６】
電圧測定部３３は、電源部３２から出力される出力電力Ｐoutにおける電圧を随時測定（検出）する部分であり、所定の電圧検出回路を用いて構成されている。このようにして電圧測定部３３により測定された電圧（実測電圧Ｖｍ）は、制御部３５へ出力されるようになっている。
【００３７】
電流測定部３４は、電源部３２から出力される出力電力Ｐoutにおける電流を随時測定する部分であり、所定の電流検出回路を用いて構成されている。このようにして電流測定部３４により測定された電流（実測電流Ｉｍ）は、制御部３５へ出力されるようになっている。
【００３８】
制御部３５は、電源装置３全体を制御すると共に所定の演算処理を行う部分であり、例えばマイクロコンピュータ等を用いて構成されている。具体的には、制御部３５は、まず、以下説明する実測電力Ｐｍ（出力電力Ｐoutの電力値に相当）の算出機能を有している。また、制御部３５は、制御信号ＣＴＬｐを用いて、電源部３２における出力電力Ｐoutの供給動作を制御する機能（電力供給制御機能）を有している。
【００３９】
まず、実測電力Ｐｍの算出機能は、以下の通りである。すなわち、制御部３５は、電圧測定部３３から出力される実測電圧Ｖｍと、電流測定部３４から出力される実測電流Ｉｍとに基づいて、実測電力Ｐｍを随時算出する。具体的には、制御部３５は、以下の演算式（１）を用いて実測電力Ｐｍを算出する。このようにして制御部３５により算出された実測電力Ｐｍは、例えば表示部３６へ出力されるようになっている。
Ｐｍ＝（Ｖｍ×Ｉｍ）  ……（１）
【００４０】
次いで、上記した電力供給制御機能は、以下の通りである。すなわち、制御部３５は、前述した温度測定信号Ｓｔ（先端Ｐ１付近の温度情報）に基づいて制御信号ＣＴＬｐを生成すると共に、その制御信号ＣＴＬｐを電源部３２へ出力することにより、出力電力Ｐoutの大きさを調整（微調整）する。具体的には、温度測定信号Ｓｔ（厳密には、後述する信号増幅後の温度測定信号Ｓｔ’）が示すシャフト１１の先端Ｐ１付近の温度が略一定（望ましくは一定）に保たれるように、換言すると、この温度が予め設定された目標温度Ｔｔと略等しくなる（望ましくは等しくなる）ように、出力電力Ｐoutの大きさを調整する。
【００４１】
詳細には、制御部３５は、先端Ｐ１付近の温度が目標温度Ｔｔ以下である場合には、出力電力Ｐoutの値が増加するように制御する。一方、先端Ｐ１付近の温度が目標温度Ｔｔを超えている場合には、出力電力Ｐoutの値が減少するように制御する。このようにして、入力された設定電力Ｐｓを基に適切な電力調整がなされたうえで、実際の出力電力Ｐoutが供給されるようになっている。
【００４２】
表示部３６は、各種の情報を表示して外部へと出力する部分（モニター）である。表示対象の情報としては、例えば、入力部３１から入力される前述の各種の設定値（設定電力Ｐｓ等）や、制御部３５から供給される実測電力Ｐｍ、アブレーションカテーテル１から中継器５を経由して供給される温度情報（温度測定信号Ｓｔ’）などが挙げられる。ただし、表示対象の情報としてはこれらの情報には限られず、他の情報を代わりに、あるいは他の情報を加えて表示するようにしてもよい。このような表示部３６は、各種の方式によるディスプレイ（例えば、液晶ディスプレイやＣＲＴ（Cathode Ray Tube）ディスプレイ、有機ＥＬ（Electro Luminescence）ディスプレイなど）を用いて構成されている。
【００４３】
（対極板４）
対極板４は、例えば図１に示したように、アブレーションの際に患者９の体表に装着された状態で用いられるものである。詳細は後述するが、アブレーションの際には、この対極板４と、患者９の体内に挿入されたアブレーションカテーテル１の電極との間で、高周波通電がなされるようになっている。
【００４４】
（中継器５）
中継器５は、図１に示したように、アブレーションカテーテル１、心電図表示装置２、電源装置３および対極板４の間で、各種の信号や電力を中継する機器である。具体的には、中継器５は、アブレーションカテーテル１から出力される温度測定信号Ｓｔを中継し、後述する温度測定信号Ｓｔ’として電源装置３へ供給する。また、アブレーションカテーテル１から出力される検査波形信号Ｓｗを中継し、心電図表示装置２へ供給する。そして、電源装置３から出力される出力電力Ｐoutを中継し、アブレーションカテーテル１および対極板４へとそれぞれ供給するようになっている。
【００４５】
図３は、この中継器５の外観構成例を斜視図で模式的に表したものである。図４は、中継器５の詳細構成例を、アブレーションカテーテル１の一部分とともに模式的に表したものである。
【００４６】
図３に示したように、この例では、中継器５における筺体５０の一側面には、３つの端子５０ａ，５０ｂ，５０ｃがそれぞれ並んで配置されている。また、この筺体５０の他の側面には、１つの端子５０ｄと後述する経路遮断スイッチ５２とが配置されている。端子５０ａには、出力電力Ｐout等を対極板４へ出力するための配線６０ａが接続されている。端子５０ｂには、出力電力Ｐout等をアブレーションカテーテル１へ出力すると共に温度測定信号Ｓｔおよび検査波形信号Ｓｗ等をアブレーションカテーテル１から入力するための配線６０ｂが接続されている。端子５０ｃには、検査波形信号Ｓｗ等を心電図表示装置２へ出力するための配線６０ｃが接続されている。端子５０ｄには、温度測定信号Ｓｔ’等を電源装置３へ出力すると共に出力電力Ｐout等を電源装置３から入力するための配線６０ｄが接続されている。
【００４７】
図１および図４に示したように、中継器５（筺体５０）内には、アンプ５１および経路遮断スイッチ５２が設けられている。
【００４８】
アンプ５１は、温度測定信号Ｓｔを増幅し、温度測定信号Ｓｔ’として出力する増幅器である。なお、中継器５内に、このようなアンプ５１に加えて他の回路（フィルタ回路等の電気回路）を設けるようにしてもよい。
【００４９】
経路遮断スイッチ５２は、図４に示したように、前述した温度センサの一具体例である熱電対１１３とアンプ５１との間の経路上（温度測定信号Ｓｔの出力経路上）に配置されている。つまり、この例では、アンプ５１よりもアブレーションカテーテル１側（手前側）の出力経路上に、経路遮断スイッチ５２が配置されている。なお、図４中に示した符号Ｐｊは、熱電対１１３の接合点を表している。この経路遮断スイッチ５２は、図４中の破線の矢印で示したように、温度測定信号Ｓｔの出力経路を遮断可能（出力経路上の端子間を接続状態または非接続状態に切換可能）に構成されており、この例では機械的なスイッチ構造を有している。また、本実施の形態では、図１および図４中の矢印Ｐ２で示したように、この経路遮断スイッチ５２のオン状態（上記接続状態，導通状態）またはオフ状態（上記非接続状態，遮断状態）が、中継器５の操作者（技師等）の操作に応じて設定（切換）可能に構成されている。
【００５０】
［作用・効果］
（Ａ．基本動作）
このカテーテルシステム６では、不整脈等の検査や治療の際に、アブレーションカテーテル１のシャフト１１が血管を通して患者９の体内に挿入される。このとき、操作者による操作部１２の操作に応じて、体内に挿入されたシャフト１１の先端Ｐ１付近の形状が偏向する。具体的には、操作者の指によって、例えば図２中の矢印で示した回転方向ｄ１に沿って回転板１２２が回転されると、シャフト１１内で図示しない操作用ワイヤが、基端側へ引っ張られる。その結果、シャフト１１の先端付近が、図１中の矢印で示した方向ｄ２に沿って湾曲する。
【００５１】
ここで、例えば不整脈等の検査に用いられる場合、体内に挿入されたアブレーションカテーテル１の電極（リング状電極１１１ａ，１１１ｂ，１１１ｃや先端電極１１２）を用いて、心電位が測定される。この心電位の情報（検査波形信号Ｓｗ）は、アブレーションカテーテル１から中継器５を経由し、心電図表示装置２へ供給される。そして、この検査波形信号Ｓｗ（心電図波形）が心電図表示装置２に表示され、検査部位における不整脈等の有無や程度に関する検査が行われる。
【００５２】
また、不整脈等の治療の際には、アブレーションカテーテル１および対極板４に対し、電源装置３（電源部３２）からアブレーションの際の電力（出力電力Ｐout）が供給される。これにより、患者９の体表に装着された対極板４と、患者９の体内に挿入されたアブレーションカテーテル１の上記電極との間で、高周波通電がなされる。このような高周波通電によって、患者９における治療対象の部位（処置部分）が選択的にアブレーションされ、不整脈等の経皮的治療がなされる。
【００５３】
（Ｂ．経路遮断スイッチ５２の作用）
続いて、本実施の形態の経路遮断スイッチ５２の作用について、比較例（比較例１，２）と比較しつつ詳細に説明する。
【００５４】
（比較例１）
図５は、比較例１に係るカテーテルシステム（カテーテルシステム１０６）の全体構成を模式的にブロック図で表したものである。この比較例１のカテーテルシステム１０６は、本実施の形態のカテーテルシステム６において、中継器５の代わりに中継器１０５を設けたものに対応している。
【００５５】
この中継器１０５では、中継器５とは異なり、温度測定信号Ｓｔの出力経路上に経路遮断スイッチ５２が設けられていない。このため、この比較例１では、中継器１０５内において、回路（アンプ５１等）で発生したノイズ信号Ｓｎ（電磁波等）が、検査波形信号Ｓｗに重畳されてしまうおそれがある。具体的には、まず、温度測定信号Ｓｔの配線（例えば前述した熱電対１１３）が中継器１０５内の回路に接続されているため、必然的に、この回路からのノイズ信号Ｓｎが温度測定信号Ｓｔに重畳される。また、この温度測定信号Ｓｔの配線の近傍には、検査波形信号Ｓｗの配線が配置されている。つまり、例えば前述した配線６０ｂ内では、これら温度測定信号Ｓｔおよび検査波形信号Ｓｗの各配線が並行して配置されている。したがって、中継器１０５内では、この検査波形信号Ｓｗに対しても、温度測定信号Ｓｔを介してノイズ信号Ｓｎが重畳されてしまうことになる（図５中の破線の矢印を参照）。
【００５６】
具体的には、例えば図６に示した検査波形信号Ｓｗ１０１のように、この比較例１では、本来の検査波形（心電図波形）に対して高周波のノイズ信号Ｓｎが重畳されてしまう。このようにして検査波形にノイズ信号Ｓｎが重畳されると、心電図表示装置２において良好な検査波形を得る（表示する）のが困難となり、検査精度が低下してしまうおそれがある。
【００５７】
なお、温度測定信号Ｓｔの配線の近傍に検査波形信号Ｓｗの配線を配置せざるを得ないのは、例えば以下の理由によるものである。すなわち、アブレーションカテーテル１におけるシャフト１１の径が極力小さいものとなっていることから、温度測定信号Ｓｔの配線（熱電対１１３等）と検査波形信号Ｓｗの配線との間を、物理的および電気的に隔離させる（ノイズ第策を施す）のが困難であるためである。
【００５８】
（比較例２）
ここで、このようにして重畳されたノイズ信号Ｓｎを除去するため、例えば、検査波形信号Ｓｗの経路上にフィルタ（例えば、ＬＰＦ（Low Pass Filter））を設ける手法（比較例２とする）が考えられる。
【００５９】
ところが、例えば図７に示した検査波形信号Ｓｗ１０２のように、フィルタを通過した後の検査波形では、波形の立ち上がりおよび立ち下がりの勾配が緩やかとなり（図７中の破線の矢印を参照；波高値が低下して波形が鈍る）、検査波形が見づらくなってしまう。このため、生の検査波形を（元の検査波形を忠実に）観察したいという、医師の要請に応えられないことになる。加えて、例えば図７中の符号Ｐ１０２で示したように、フィルタ処理によって、元の検査波形に存在していた微弱信号が消失してしまうおそれもある。これらのことから、この比較例２の手法を適用したとしても、結局のところ、検査精度が低下してしまうおそれがある。
【００６０】
（本実施の形態）
これに対して本実施の形態のカテーテルシステム６では、図１，図３，図４に示したように、アブレーションカテーテル１における温度センサ（熱電対１１３等）から出力される温度測定信号Ｓｔの出力経路上に、その出力経路Ｓｔを遮断可能な経路遮断スイッチ５２が設けられている。
【００６１】
具体的には、例えば図８Ａに示したように、この経路遮断スイッチ５２がオン状態に設定されたときには、温度測定信号Ｓｔの出力経路が導通状態となり、この温度測定信号Ｓｔがアンプ５１へ供給される。すなわち、温度測定が実行状態となり、信号増幅後の温度測定信号Ｓｔ’が電源装置３内の制御部３５へと供給されることになる。
【００６２】
一方、例えば図８Ｂに示したように、経路遮断スイッチ５２がオフ状態に設定されたときには、温度測定信号Ｓｔの出力経路が遮断状態となり、温度測定信号Ｓｔがアンプ５１へは供給されない。すなわち、温度測定が停止状態となり、信号増幅後の温度測定信号Ｓｔ’が電源装置３内の制御部３５へは供給されないことになる。
【００６３】
このような経路遮断スイッチ５２が設けられていることにより、温度測定信号Ｓｔの出力経路に接続された回路（アンプ５１等）からのノイズ信号Ｓｎが、この温度測定信号Ｓｔの出力経路上で遮断可能となる。すなわち、ノイズ信号Ｓｎの発生源（上記回路）を、温度測定信号Ｓｔの出力経路から切り離すことができるようになる。
【００６４】
その結果、例えば図９に示した検査波形信号Ｓｗように、本実施の形態では上記比較例１とは異なり、中継器５内において、温度測定信号Ｓｔの出力経路を介してノイズ信号Ｓｎが検査波形信号Ｓｗへ重畳されるおそれが、低減もしくは回避される。また、上記比較例２とは異なり、検査波形が鈍って見づらくなったり、微弱信号が消失してしまうおそれもない。
【００６５】
以上のように本実施の形態では、アブレーションカテーテル１における温度センサから出力される温度測定信号Ｓｔの出力経路上に、その出力経路を遮断可能な経路遮断スイッチ５２を設けるようにしたので、ノイズ信号Ｓｎが検査波形信号Ｓｗへ重畳されるおそれを、低減もしくは回避することができる。よって、良好な検査波形を得ることができ、検査精度を向上させることが可能となる。
【００６６】
また、この経路遮断スイッチ５２を中継器５に設けるようにしたので、温度測定信号Ｓｔの出力経路を中継器５内で遮断することができる。これにより、ノイズ信号Ｓｎの発生源が、アブレーションカテーテル１から中継器５までの経路上に限定されることになる。よって、ノイズ信号Ｓｎを、検査波形信号Ｓｗに対してより重畳されにくくすることができる。
【００６７】
更に、中継器５に温度測定信号Ｓｔを増幅するアンプ５１を設け、このアンプ５１よりもアブレーションカテーテル１側の出力経路上に経路遮断スイッチ５２を配置するようにしたので、中継器５内において、相対的に手前側で出力経路を遮断できるようになる。よって、この温度測定信号Ｓｔの出力経路におけるアンテナ作用を小さくし、ノイズ信号の発生を抑えることも可能となる。
【００６８】
加えて、経路遮断スイッチ５２のオン状態またはオフ状態を、中継器５の操作者の操作に応じて設定可能としたので、例えば、検査や治療の状況等に応じて、操作者の希望するタイミングにて、温度測定信号Ｓｔの出力経路遮断を実行することができる。よって、そのような検査や治療の際の利便性を向上させることも可能となる。
【００６９】
以下、本発明の他の実施の形態（第２〜第４の実施の形態）について説明する。なお、第１の実施の形態等における構成要素と同一のものには同一の符号を付し、適宜説明を省略する。
【００７０】
＜第２の実施の形態＞
［構成］
図１０は、第２の実施の形態に係るカテーテルシステム（カテーテルシステム６Ａ）の全体構成例を模式的にブロック図で表したものである。本実施の形態のカテーテルシステム６Ａは、第１の実施の形態のカテーテルシステム６において、中継器５の代わりに中継器５Ａを設けたものに対応しており、他の構成は基本的には同様となっている。
【００７１】
図１１は、この中継器５Ａの詳細構成例を、アブレーションカテーテル１の一部分とともに模式的に表したものである。
【００７２】
図１０および図１１に示したように、中継器５Ａは、中継器５において、電源装置３内の制御部３５から供給される制御信号ＣＴＬ１を、経路遮断スイッチ５２へ入力させるようにした構成となっている。つまり、中継器５では、操作者の操作に応じて経路遮断スイッチ５２の状態が設定（手動設定）されていたのに対し、中継器５Ａでは、制御部３５から供給される制御信号ＣＴＬ１に従って、経路遮断スイッチ５２の状態が自動制御されるようになっている。
【００７３】
具体的には、本実施の形態の制御部３５は、以下詳述するように、電源装置３の動作状態（アブレーションの実行の有無）に連動して、この経路遮断スイッチ５２を自動的にオン状態またはオフ状態に設定するための制御信号ＣＴＬ１を出力するようになっている（図１１中の破線の矢印を参照）。
【００７４】
［作用・効果］
図１２は、カテーテルシステム６Ａの動作例を流れ図で表わしたものである。このカテーテルシステム６Ａでは、まず、電源装置３の操作者によって、入力部３１からアブレーションの際の設定電力Ｐｓおよび目標温度Ｔｔの値が入力されると、これらの値が制御部３５へ供給されることで、値の設定がなされる（ステップＳ１０１）。
【００７５】
次いで、制御部３５は、操作者によって、入力部３１からアブレーション（高周波出力）の開始が設定（指示）されたか否かを判断する（ステップＳ１０２）。つまり、入力部３１を介して制御部３５に対し、高周波出力（出力電力Ｐoutの供給）を開始させるための指示信号が入力されたか否かを判断する。
【００７６】
（アブレーション時）
ここで、高周波出力の開始が指示された場合（ステップＳ１０２：Ｙ）、制御部３５は、経路遮断スイッチ５２がオン状態に設定されるように、制御信号ＣＴＬ１を出力する（ステップＳ１０３）。
【００７７】
これにより、例えば図１３Ａに示したように、経路遮断スイッチ５２がオン状態となる（ステップＳ１０４）。したがって、温度測定信号Ｓｔの出力経路が導通状態となり、この温度測定信号Ｓｔがアンプ５１へ供給される。すなわち、温度測定が担保されて実行状態となり、信号増幅後の温度測定信号Ｓｔ’が電源装置３内の制御部３５へと供給される。このように、温度測定が必要とされる出力電力Ｐoutの供給停止時（アブレーション時）には、経路遮断スイッチ５２がオン状態に設定されて温度測定が担保されることになる。
【００７８】
続いて、表示部３６では、このようにして制御部３５へ供給された温度測定信号Ｓｔ’に基づき、温度表示が開始される（ステップＳ１０５）。そして、ステップＳ１０２において入力された高周波出力の開始指示に従い、電源部３２からアブレーションカテーテル１および対極板４へそれぞれ、出力電力Ｐoutの供給が開始される（ステップＳ１０６）。これにより前述した原理にて、処置部分のアブレーションが開始される。
【００７９】
次に、制御部３５は、操作者によって、入力部３１から高周波出力（アブレーション）の停止が指示されたか否かを判断する（ステップＳ１０７）。つまり、入力部３１を介して制御部３５に対し、出力電力Ｐoutの供給を停止させるための指示信号が入力されたか否かを判断する。ここで、高周波出力の停止が指示されていない場合（ステップＳ１０７：Ｎ）、制御部３５は、そのような停止の指示があるまで、出力電力Ｐoutを供給するように電源部３２の動作を制御する。なお、このステップ１０７では、所定時間（または操作者によって入力部３１から入力された設定時間）の経過後に、制御部３５が自動的にアブレーションの停止を判断するようにしてもよい（いわゆるタイマー駆動）。
【００８０】
一方、高周波出力の停止が指示された場合（ステップＳ１０７：Ｙ）、制御部３５において、出力電力Ｐoutの供給が停止されるように電源部３２の動作を制御することにより、高周波出力が停止される（ステップＳ１０８）。すなわち、処置部分のアブレーションが停止される。なお、この後は、以下説明するステップＳ１０９へと移行することになる。
【００８１】
（アブレーション以外の時）
ここで、ステップＳ１０２において高周波出力の開始が指示されていない場合（ステップＳ１０２：Ｎ）、または、上記ステップＳ１０８を経た場合、制御部３５は以下の動作を行う。すなわち、制御部３５は、経路遮断スイッチ５２がオフ状態に設定されるように、制御信号ＣＴＬ１を出力する（ステップＳ１０９）。
【００８２】
これにより、例えば図１３Ｂに示したように、経路遮断スイッチ５２がオフ状態となる（ステップＳ１１０）。したがって、温度測定信号Ｓｔの出力経路が遮断状態となり、この温度測定信号Ｓｔがアンプ５１へ供給されなくなる。すなわち、温度測定が停止状態となり、信号増幅後の温度測定信号Ｓｔ’が電源装置３内の制御部３５へは供給されない。その結果、表示部３６では、制御部３５へ供給された温度測定信号Ｓｔ’に基づく温度表示が行われない（あるいは停止される）ことになる（ステップＳ１１１）。なお、その後は、再びステップＳ１０２へと移行する。
【００８３】
このようにして、温度測定が必ずしも必要とはされない出力電力Ｐoutの供給停止時（例えば検査時のような、アブレーション以外の期間）では、以下のようになる。すなわち、経路遮断スイッチ５２がオフ状態に設定されて温度測定が停止されつつ、第１の実施の形態と同様にして、検査波形信号Ｓｗへのノイズ信号Ｓｎの重畳が低減もしくは回避された良好な検査波形を利用した高精度な検査が実施可能となる。
【００８４】
以上のように本実施の形態では、制御部３５が、電源装置３の動作状態に連動して経路遮断スイッチ５２を自動的にオン状態またはオフ状態に設定するための制御信号ＣＴＬ１を出力するようにしたので、基本的には第１の実施の形態と同様の効果に加え、以下の効果も得ることが可能となる。すなわち、電源装置３の動作状態に連動して自動的に経路遮断スイッチ５２のオン・オフ状態を制御できるため、第１の実施の形態とは異なり、中継器５の操作者がその都度操作する必要がなくなり、利便性を向上させることが可能となる。
【００８５】
また、出力電力Ｐoutの供給を実行しているときには経路遮断スイッチ５２をオン状態に設定すると共に、出力電力Ｐoutの供給を停止しているときには経路遮断スイッチ５２をオフ状態に設定するようにしたので、上記したように、電源装置３の動作状態に応じた適切なシステム動作を担保することが可能となる。
【００８６】
＜第３の実施の形態＞
［構成］
図１４は、第３の実施の形態に係るカテーテルシステム（カテーテルシステム７）の全体構成例を模式的にブロック図で表したものである。本実施の形態のカテーテルシステム７は、第１の実施の形態のカテーテルシステム６において、中継器５の代わりに中継器５Ｂを設けたものに対応しており、他の構成は基本的には同様となっている。
【００８７】
中継器５Ｂは、中継器５において、経路遮断スイッチ５２の代わりに電源遮断機構５３を設けたものに対応している。この電源遮断機構５３は、アンプ５１の電源を遮断することが可能な機構を有しており、例えば、アンプ５１へ供給される電力（電力供給ライン）を遮断可能なスイッチ（アンプ用電源遮断スイッチ）を用いて構成されている。なお、このアンプ用電源遮断スイッチは、例えば機械的なスイッチ構造を有している。
【００８８】
また、本実施の形態では、図１４中の矢印Ｐ３で示したように、電源遮断機構５３の動作の実行状態（アンプ５１の電源の遮断状態）または停止状態（アンプ５１の電源の保持状態）が、中継器５Ｂの操作者の操作に従って入力される操作信号に応じて、設定（切換）可能に構成されている。換言すると、電源遮断機構５３はそのような操作信号に基づいて、アンプ５１の電源の遮断動作を行うようになっている。
【００８９】
［作用・効果］
このような電源遮断機構５３が設けられていることにより、本実施の形態では例えば図１５に示したように、アンプ５１の電源を遮断できるようになる。つまり、このアンプ５１からのノイズ信号Ｓｎの発生が防止可能となる。その結果、中継器５Ｂ内において、温度測定信号Ｓｔの出力経路を介してノイズ信号Ｓｎが検査波形信号Ｓｗへ重畳されるおそれが、低減もしくは回避される。
【００９０】
以上のように本実施の形態では、温度測定信号Ｓｔを増幅するアンプ５１の電源を電源遮断機構５３によって遮断できるようにしたので、ノイズ信号Ｓｎが検査波形信号Ｓｗへ重畳されるおそれを、低減もしくは回避することができる。よって、本実施の形態においても良好な検査波形を得ることができ、検査精度を向上させることが可能となる。
【００９１】
また、電源遮断機構５３が、中継器５Ｂの操作者の操作に従って入力される操作信号に基づいてアンプ５１の電源を遮断するようにしたので、例えば検査や治療の状況等に応じて、操作者の希望するタイミングにて、アンプ５１の電源遮断を実行できるようになる。よって、そのような検査や治療の際の利便性を向上させることも可能となる。
【００９２】
＜第４の実施の形態＞
［構成］
図１６は、第４の実施の形態に係るカテーテルシステム（カテーテルシステム７Ａ）の全体構成例を模式的にブロック図で表したものである。本実施の形態のカテーテルシステム７Ａは、第３の実施の形態のカテーテルシステム７において、中継器５Ｂの代わりに中継器５Ｃを設けたものに対応しており、他の構成は基本的には同様となっている。
【００９３】
中継器５Ｃは、中継器５Ｂにおいて、電源装置３内の制御部３５から供給される制御信号ＣＴＬ２を、電源遮断機構５３へ入力させるようにした構成となっている。つまり、中継器５Ｂでは、操作者の操作に従って入力される操作信号に基づいて、電源遮断機構５３の動作が制御（手動制御）されていた。これに対し、中継器５Ｃでは、制御部３５から供給される制御信号ＣＴＬ２に従って、電源遮断機構５３の動作が自動制御されるようになっている。
【００９４】
具体的には、本実施の形態の制御部３５は、以下詳述するように、電源装置３の動作状態に連動して、この電源遮断機構５３の動作を自動的に制御するための制御信号ＣＴＬ２を出力するようになっている。
【００９５】
［作用・効果］
図１７は、カテーテルシステム７Ａの動作例を流れ図で表わしたものである。この図１７に示した動作例は、前述した図１２に示したカテーテルシステム６Ａの動作例において、ステップＳ１０３，Ｓ１０４，Ｓ１０９，Ｓ１１０の代わりに、以下説明するステップＳ２０３，Ｓ２０４，Ｓ２０９，Ｓ２１０をそれぞれ実行するようにしたものに対応しており、他のステップは同様となっている。したがって、以下では、主にステップＳ２０３，Ｓ２０４，Ｓ２０９，Ｓ２１０について説明を行う。
【００９６】
（アブレーション時）
このカテーテルシステム７Ａでは、ステップＳ１０２において高周波出力の開始が指示された場合（ステップＳ１０２：Ｙ）、制御部３５は以下の動作を行う。すなわち、制御部３５は、アンプ５１の電源が保持されるように（電源遮断機構５３による電源遮断動作が実行されないように）、制御信号ＣＴＬ２を出力する（ステップＳ２０３）。
【００９７】
これにより、アンプ５１の電源が保持される（ステップＳ２０４）。すなわち、温度測定が担保されて実行状態となり、信号増幅後の温度測定信号Ｓｔ’が電源装置３内の制御部３５へと供給される。このように、温度測定が必要とされる出力電力Ｐoutの供給停止時（アブレーション時）には、アンプ５１の電源が保持（維持）されて温度測定が担保されることになる。
【００９８】
（アブレーション以外の時）
一方、ステップＳ１０２において高周波出力の開始が指示されていない場合（ステップＳ１０２：Ｎ）、または、前述したステップＳ１０８を経た場合、制御部３５は以下の動作を行う。すなわち、制御部３５は、アンプ５１の電源が遮断されるように（電源遮断機構５３による電源遮断動作が実行されるように）、制御信号ＣＴＬ２を出力する（ステップＳ２０９）。
【００９９】
これにより、例えば図１８に示したように、アンプ５１の電源が遮断される（ステップＳ２１０）。すなわち、温度測定が停止状態となり、信号増幅後の温度測定信号Ｓｔ’が電源装置３内の制御部３５へは供給されない。
【０１００】
このようにして、温度測定が必ずしも必要とはされない出力電力Ｐoutの供給停止時（例えば検査時のような、アブレーション以外の期間）では、以下のようになる。すなわち、アンプ５１の電源が遮断されて温度測定が停止されつつ、第３の実施の形態と同様にして、検査波形信号Ｓｗへのノイズ信号Ｓｎの重畳が低減もしくは回避された良好な検査波形を利用した高精度な検査が実施可能となる。
【０１０１】
以上のように本実施の形態では、制御部３５が、電源装置３の動作状態に連動して電源遮断機構５３の動作を自動的に制御するための制御信号ＣＴＬ２を出力するようにしたので、基本的には第３の実施の形態と同様の効果に加え、以下の効果も得ることが可能となる。すなわち、電源装置３の動作状態に連動して自動的にアンプ５１の電源遮断動作を制御できるため、第３の実施の形態とは異なり、中継器５Ｃの操作者がその都度操作する必要がなくなり、利便性を向上させることが可能となる。
【０１０２】
また、出力電力Ｐoutの供給を実行しているときにはアンプ５１の電源を保持させると共に、出力電力Ｐoutの供給を停止しているときにはアンプ５１の電源を遮断させるようにしたので、上記したように、電源装置３の動作状態に応じた適切なシステム動作を担保することが可能となる。
【０１０３】
＜変形例＞
以上、いくつかの実施の形態を挙げて本発明を説明したが、本発明はこれらの実施の形態に限定されず、種々の変形が可能である。
【０１０４】
例えば、上記実施の形態において説明した各部材の材料等は限定されるものではなく、他の材料としてもよい。また、上記実施の形態では、アブレーションカテーテル１の構成を具体的に挙げて説明したが、必ずしも全ての部材を備える必要はなく、また、他の部材を更に備えていてもよい。具体的には、例えばシャフト１１の内部に、首振り部材として、撓み方向に変形可能な板バネが設けられているようにしてもよい。また、シャフト１１における電極の構成（リング状電極および先端電極の配置や形状、個数等）は、上記実施の形態で挙げたものには限られない。更に、アブレーションカテーテル１の先端Ｐ１付近に配置する温度測定機構（温度センサ）としては、上記実施の形態で説明した熱電対１１３には限られず、例えばサーミスタ等の他の温度センサを用いるようにしてもよい。
【０１０５】
また、上記実施の形態では、シャフト１１における先端Ｐ１付近の形状が操作部１２の操作に応じて片方向に変化するタイプのアブレーションカテーテルを例に挙げて説明したが、これには限られない。すなわち、本発明は、例えば、シャフト１１における先端Ｐ１付近の形状が操作部１２の操作に応じて両方向に変化するタイプのアブレーションカテーテルにも適用することが可能であり、この場合には操作用ワイヤを複数本用いることとなる。また、本発明は、シャフト１１における先端Ｐ１付近の形状が固定となっているタイプのアブレーションカテーテルにも適用することが可能であり、この場合には、操作用ワイヤや回転板１２２等が不要となる。すなわち、ハンドル１２１のみで操作部が構成されることになる。
【０１０６】
更に、上記実施の形態では、アンプ５１と、経路遮断スイッチ５２または電源遮断機構５３とが、いずれも中継器内に設けられている場合について説明したが、これには限られず、カテーテルシステム内の中継器以外の場所に、経路遮断スイッチ５２や電源遮断機構５３を設けるようにしてもよい。すなわち、例えば電源装置３内に、アンプ５１と、経路遮断スイッチ５２または電源遮断機構５３とを設けるようにしてもよい。その場合も上記実施の形態と同様に、アンプ５１よりもアブレーションカテーテル１側の出力経路上に、経路遮断スイッチ５２を配置するのが好ましい。また、場合によっては、カテーテルシステム全体として、経路遮断スイッチ５２および電源遮断機構５３の双方を設けるようにしてもよい。
【０１０７】
加えて、上記実施の形態では、電源装置３のブロック構成を具体的に挙げて説明したが、上記実施の形態で説明した各ブロックを必ずしも全て備える必要はなく、また、他のブロックを更に備えていてもよい。また、カテーテルシステム全体としても、上記実施の形態で説明した各装置に加えて他の装置を更に備えていてもよい。具体的には、例えば、患部のアブレーションの際に生理食塩水等の液体を流す灌注機構を備えたカテーテルシステムとしてもよい。この場合、アブレーションカテーテルに対して灌注用の液体を供給する液体供給部を、専用の装置（液体供給装置）内あるいは電源装置（制御装置）内に設けるようにする。また、この液体供給部（液体供給装置または制御装置）とアブレーションカテーテルとの間を繋ぐ液体供給ラインを、上記実施の形態で説明した中継器を経由させるようにしてもよい。
【符号の説明】
【０１０８】
１…アブレーションカテーテル、１１…シャフト、１１１ａ，１１１ｂ，１１１ｃ…リング状電極、１１２…先端電極、１１３…熱電対、１２…操作部、１２１…ハンドル、１２２…回転板、２…心電図表示装置、３…電源装置、３１…入力部、３２…電源部、３３…電圧測定部、３４…電流測定部、３５…制御部、３６…表示部、４…対極板、５，５Ａ，５Ｂ，５Ｃ…中継器、５０…筺体、５０ａ，５０ｂ，５０ｃ，５０ｄ…端子、５１…アンプ、５２…経路遮断スイッチ、５３…電源遮断機構、６，６Ａ，７，７Ａ…カテーテルシステム、６０ａ，６０ｂ，６０ｃ，６０ｄ…配線、９…患者、ＣＴＬ１，ＣＴＬ２，ＣＴＬｐ…制御信号、Ｐout…出力電力、Ｖｍ…実測電圧、Ｉｍ…実測電流、Ｓｗ…検査波形信号、Ｓｔ，Ｓｔ’…温度測定信号、Ｐｊ…接合点。
【要約】
【課題】良好な検査波形を得ることが可能なカテーテルシステムを提供する。
【解決手段】カテーテルシステム６は、先端Ｐ１付近に電極および温度センサ（熱電対１１３）を有するアブレーションカテーテル１と、このアブレーションカテーテル１に対してアブレーションの際の電力供給を行う電源装置３と、上記電極を用いて測定される検査波形信号Ｓｗを表示する波形表示装置（心電図表示装置２）と、上記温度センサから出力される温度測定信号Ｓｔを中継して電源装置３へ供給すると共に、上記電極から出力される検査波形信号Ｓｗを中継して上記波形表示装置へ供給する中継器５と、温度測定信号Ｓｔの出力経路上に設けられると共にその出力経路を遮断可能に構成された経路遮断スイッチ５２とを備えている。
【選択図】図１【図１】
0005641591.tif 000002
【図２】
0005641591.tif 000003
【図３】
0005641591.tif 000004
【図４】
0005641591.tif 000005
【図５】
0005641591.tif 000006
【図６】
0005641591.tif 000007
【図７】
0005641591.tif 000008
【図８Ａ】
0005641591.tif 000009
【図８Ｂ】
0005641591.tif 000010
【図９】
0005641591.tif 000011
【図１０】
0005641591.tif 000012
【図１１】
0005641591.tif 000013
【図１２】
0005641591.tif 000014
【図１３Ａ】
0005641591.tif 000015
【図１３Ｂ】
0005641591.tif 000016
【図１４】
0005641591.tif 000017
【図１５】
0005641591.tif 000018
【図１６】
0005641591.tif 000019
【図１７】
0005641591.tif 000020
【図１８】
0005641591.tif 000021